(57)【要約】【課題】膨張弁を搭載した多室型空気調和機において、その運転条件によっては膨張弁の開きすぎや絞りすぎによる吐出ＳＨの急変が発生し、圧縮機の吸入ガスが過湿り・過熱状態になり、冷凍サイクルの信頼性を著しく低下させてしまうことがあった。【解決手段】室外機の制御装置により室内機の運転台数や配管長などの運転条件を認識し、前記運転条件に応じて膨張弁開度の上限値及び下限値を設け、その範囲内で膨張弁制御を行うことにより、圧縮機吸入ガスの過湿り・過熱を防止する。【選択図】図２ 
2005147541.tif 000002
【特許請求の範囲】
【請求項１】
能力可変型圧縮機と、室外側熱交換器と、室外送風機と、電動式膨張弁と、四方弁と、外気温度検出手段と、吐出温度と、吸入温度検出手段と、室外側熱交換器温度検出手段と、吸入圧力検出手段、室外機制御装置を搭載した室外機と、室内側熱交換器と、室内送風機と、電動式膨張弁と、室内機制御装置を搭載した複数の室内機で形成される冷凍サイクルを具備した多室型空気調和機において、膨張弁開度の上限及び下限を規制し、前記上限値及び下限値を室内機の運転台数に応じて変化させることを特徴とした多室型空気調和機。
【請求項２】
膨張弁開度の上限値及び下限値を室内機の運転容量数に応じて変化させることを特徴とした、請求項１に記載の多室型空気調和機。
【請求項３】
膨張弁開度の上限値及び下限値を圧縮機の運転周波数に応じて変化させることを特徴とした、請求項１に記載の多室型空気調和機。
【請求項４】
膨張弁開度の上限値及び下限値を外気温度に応じて変化させることを特徴とした、請求項１に記載の多室型空気調和機。
【請求項５】
膨張弁開度の上限値及び下限値を室内機・室外機間の配管総長に応じて変化させることを特徴とした、請求項１に記載の多室型空気調和機。
【請求項６】
圧縮機の吸入ＳＨ或いは吐出ＳＨが所定の範囲外となった場合に膨張弁開度の上限値及び下限値を変化させることを特徴とした、請求項１に記載の多室型空気調和機。
【請求項７】
膨張弁開度の上限値及び下限値を室内機の形態に応じて変化させることを特徴とした、請求項１に記載の多室型空気調和機。
【発明の詳細な説明】
【技術分野】
【０００１】
本発明は、膨張弁制御を搭載した多室型空気調和機に関するものである。
【背景技術】
【０００２】
従来の空気調和機の膨張弁制御は、図９の冷凍サイクル図に示すように、圧縮機吐出温度と室外機側熱交換器温度を検出する検出手段を備え、その差温で算出される吐出加熱度（ＳＨ）をが規定値より大きければ膨張弁を開き、小さければ膨張弁を絞ると言った手段を用い、適正に調整するものであった（例えば、特許文献１参照）。
【特許文献１】特開２００３−１０６６０８号公報
【発明の開示】
【発明が解決しようとする課題】
【０００３】
しかしながら、多室型空気調和機の各室内機に膨張弁が搭載されてＳＨを制御する場合、運転室内機容量の変化による必要冷媒循環量の増減が起こった際、前記従来の吐出ＳＨを所定値に合致させるように膨張弁の絞りを開閉する制御では、各室内機の膨張弁が各々の室内機の置かれた運転条件によって勝手に絞りを制御するため、膨張弁の開きすぎや絞りすぎによる吐出ＳＨの急変を招き、圧縮機の吸入ガスが過湿り・過熱状態になる場合があり、圧縮機信頼性に大きく影響するという課題を有していた。
本発明は、上記従来の課題を解決するもので、膨張弁の開きすぎや絞りすぎを防止し、圧縮機の吸入ガスが過湿り・過熱状態になることを防ぐ膨張弁制御を搭載した多室型空気調和機を提供することを目的とする。
【課題を解決するための手段】
【０００４】
前記課題を解決するために本発明の多室型空気調和機は、膨張弁開度の上限及び下限を規制し、且つ前記上限値及び下限値を室内機の運転台数その他の条件に応じて変化させることを特徴としたもので、この膨張弁制御により圧縮機吸入ガスの過湿り・過熱を防止することができる。
【発明の効果】
【０００５】
以上のように本発明の膨張弁制御は、圧縮機の吸入ガスの過湿り・過熱を防止し、圧縮機および冷凍サイクルの信頼性を確保することができる。
【発明を実施するための最良の形態】
【０００６】
第１の発明は、多室型空気調和機において、膨張弁開度の上限及び下限を規制し、前記上限値及び下限値を室内機の運転台数に応じて変化させることにより、膨張弁の開きすぎ・絞りすぎによる圧縮機の吸入ガスの過湿り・過熱を防止し、圧縮機の信頼性を向上させることができる。
第２の発明は、特に、第１の発明の膨張弁開度の上限値及び下限値を、室内機運転容量に応じて変化させることにより、膨張弁の開きすぎ・絞りすぎによる圧縮機の吸入ガスの過湿り・過熱を防止し、圧縮機の信頼性を向上させることができる。
第３の発明は、特に、第１の発明の膨張弁開度の上限値及び下限値を、圧縮機の運転周波数に応じて変化させることにより、膨張弁の開きすぎ・絞りすぎによる圧縮機の吸入ガスの過湿り・過熱を防止し、圧縮機の信頼性を向上させることができる。
第４の発明は、特に、第１の発明の膨張弁開度の上限値及び下限値を、外気温度に応じて変化させることにより、膨張弁の開きすぎ・絞りすぎによる圧縮機の吸入ガスの過湿り・過熱を防止し、圧縮機の信頼性を向上させることができる。
第５の発明は、特に、第１の発明の膨張弁開度の上限値及び下限値を、室内機・室外機間
の配管総長に応じて変化させることにより、膨張弁の開きすぎ・絞りすぎによる圧縮機の吸入ガスの過湿り・過熱を防止し、圧縮機の信頼性を向上させることができる。
第６の発明は、特に、第１の発明の膨張弁開度の上限値及び下限値を、圧縮機の吸入ＳＨ或いは吐出ＳＨが所定の範囲外となった場合に変化させることにより、膨張弁の開きすぎ・絞りすぎによる圧縮機の吸入ガスの過湿り・過熱を防止し、圧縮機の信頼性を向上させることができる。
第７の発明は、特に、第１の発明の膨張弁開度の上限値及び下限値を、室内機の形態に応じて変化させることにより、膨張弁の開きすぎ・絞りすぎによる圧縮機の吸入ガスの過湿り・過熱を防止し、圧縮機の信頼性を向上させることができる。
以下、本発明の実施の形態について、図面を参照しながら説明する。なお、本実施の形態によって本発明が限定されるものではない。
【０００７】
（実施の形態１）
図１は発明の実施例を示す冷凍サイクル図である。同図において、冷凍サイクルは能力可変型圧縮機１、室外側熱交換器２、室外送風機３、室外膨張弁４、冷房サイクルと暖房サイクルを切換える四方弁５、外気温度検出手段６、吐出温度検出手段７、吸入温度検出手段８、室外側熱交換器温度検出手段９、吐出圧力検出手段１３、室外機制御装置１４を搭載した室外機と、室内側熱交換器１０、室内送風機１１、室内膨張弁１２、室内機制御装置１５ａ、１５ｂを搭載した室内機とで構成されている。
【０００８】
図２は膨張弁開度上下限概念図であり、運転室内機台数と膨張弁開度の上下限値の関係を表したものである。
【０００９】
室外機制御装置１４と室内機制御装置１５ａ、１５ｂは通信線で接続され、運転を開始すると室内機制御装置１５ａ、１５ｂから室外機制御装置１４へ運転信号を送信し、室外機制御装置１４は室内機の運転台数を集計し、合計運転台数として認識する。
【００１０】
例えば、基準となる運転台数２台（室内機Ａ、Ｂ）での運転の場合、室外膨張弁４は所定の基準膨張弁開度上下限値内で制御される。
【００１１】
基準となる運転台数２台に対し、室内機Ａ或いはＢのいずれか１台のみの運転の場合、膨張弁基準開度上下限値に対し、下限値、上限値いずれも同じ変化幅ΔＰ（例えば３０ｐｌｓ）だけ低くする。
【００１２】
さらに、基準運転室内機に対し運転室内機が１台増え合計３台になった場合、膨張弁の基準開度上下限値に対し、下限値、上限値いずれも同じ変化幅ΔＰ（例えば３０ｐｌｓ）高くする。
【００１３】
このように、室外機の制御装置が室内機からの運転信号を受信して室内機の運転台数を認識し、室内機の運転台数に応じ規定した膨張弁開度の上限値及び下限値に段階的に変更し、その範囲内で膨張弁制御を行うことにより、圧縮機吸入ガスの過湿り・過熱を防止することができる。
【００１４】
（実施の形態２）
図３は膨張弁開度上下限概念図であり、運転室内機容量と膨張弁開度の上下限値の関係を表したものである。
【００１５】
室外機制御装置１４と室内機制御装置１５ａ、１５ｂが通信線で接続され、室内機が運転開始となれば室内機制御装置１５ａ、１５ｂから室外機制御装置１４へ運転信号を送信し、室外機制御装置１４は室内機の運転容量を集計し、合計運転容量として認識できる。
【００１６】
各室内機の容量を室内機Ａが５．１ｋＷ、室内機Ｂが２．６ｋＷ、室内機Ｃが２．６ｋＷとし、基準となる室内機運転容量で運転中（例えば室内機Ａ、Ｂの合計容量７．７ｋＷ）、膨張弁４は実機検証にて定めた基準膨張弁開度上下限値内で制御される。
基準となる運転容量に対し、室内機Ａのみの運転の場合、運転容量が減少し（５．１ｋＷ）、膨張弁基準開度上下限値に対し、下限値、上限値いずれも同じ変化幅ΔＰ（例えば３０ｐｌｓ）低くする。
【００１７】
さらに、基準運転容量に対し運転室内機が１台増えた場合、運転容量が増加し（１０．３ｋＷ）、膨張弁基準開度上下限値に対し、下限値、上限値いずれも同じ変化幅ΔＰ（例えば３０ｐｌｓ）高くする。
【００１８】
このように、室外機の制御装置が室内機からの運転信号を受信することにより室内機の運転合計容量を認識し、室内機の運転容量に応じ規定した膨張弁開度の上限値及び下限値に段階的に変更し、その範囲内で膨張弁制御を行うことにより、圧縮機吸入ガスの過湿り・過熱を防止することができる。
【００１９】
（実施の形態３）
図４は膨張弁開度上下限概念図であり、圧縮機の運転周波数と膨張弁開度の上下限値の関係を表したものである。
【００２０】
能力可変型圧縮機１が基準となる運転周波数Ｆ１（Ｈｚ）で運転中の場合、膨張弁４は実機検証にて定めた基準膨張弁開度上下限値内で制御される。
【００２１】
室外機制御装置１４は負荷により決定した運転周波数を認識しており、基準となる運転周波数Ｆ１（Ｈｚ）に対し、低い周波数Ｆ０（Ｈｚ）で運転した場合、膨張弁基準開度上下限値に対し、下限値、上限値いずれも同じ変化幅ΔＰ（例えば３０ｐｌｓ）低くする。
【００２２】
さらに、基準となる運転周波数Ｆ１（Ｈｚ）に対し高い周波数Ｆ２Ｈｚで運転した場合、膨張弁基準開度上下限値に対し、下限値、上限値いずれも同じ変化幅ΔＰ（例えば３０ｐｌｓ）高くする。
【００２３】
このように、室外機の制御装置により圧縮機の運転周波数を認識し、圧縮機の運転周波数に応じ規定した膨張弁開度の上限値及び下限値に連続的或いは段階的に変更し、その範囲内で膨張弁制御を行うことにより、圧縮機吸入ガスの過湿り・過熱を防止することができる。
【００２４】
（実施の形態４）
図５は膨張弁開度上下限概念図であり、外気温度と膨張弁開度の上下限値の関係を表したものである。
【００２５】
外気温度が基準となるＴ１（℃）で運転中の場合、膨張弁４は実機検証にて定めた基準膨張弁開度上下限値内で制御される。
【００２６】
室外機制御装置１４は外気温度検出手段６が検出した外気温度を認識しており、基準となる外気温度Ｔ１（℃）に対し、低い外気温度Ｔ０（℃）での運転の場合、膨張弁基準開度上下限値に対し、上限値を変化幅ΔＰ１（例えば３０ｐｌｓ）、下限値を上限値の変化幅より小さい変化幅ΔＰ２（例えば１５ｐｌｓ）、それぞれ低くする。
【００２７】
さらに、基準となる外気温度Ｔ１（℃）に対し高い外気温度Ｔ２（℃）での運転の場合
、膨張弁基準開度上下限値に対し、上限値を変化幅ΔＰ１（例えば３０ｐｌｓ）、下限値を上限値の変化幅より小さい変化幅ΔＰ２（例えば１５ｐｌｓ）、それぞれ高くする。
【００２８】
室外機の制御装置が外気温度検出手段６により外気温度を認識し、外気温度に応じ規定した膨張弁開度の上限値及び下限値に連続的或いは段階的に変更し、その範囲内で膨張弁制御を行うことにより、圧縮機吸入ガスの過湿り・過熱を防止することができる。
【００２９】
（実施の形態５）
図６は膨張弁開度上下限概念図であり、室内機・室外機間の配管総長と膨張弁開度の上下限値の関係を表したものである。
【００３０】
室外機制御装置１４に配管長ＳＷを有し、商品設置段階で設置業者が実際の室内機・室外機間配管総長に応じ、配管長ＳＷを切り替え、室外機制御装置１４は配管総長の範囲を認識できる。
【００３１】
配管総長が基準となる２０（ｍ）以下で設置している場合、膨張弁４は実機検証にて定めた基準膨張弁開度上下限値内で制御される。
【００３２】
基準となる配管総長２０（ｍ）以下に対し、配管長が２０（ｍ）〜４０（ｍ）の場合、膨張弁基準開度上下限値に対し、下限値、上限値いずれも同じ変化幅ΔＰ（例えば３０ｐｌｓ）高くする。
【００３３】
このように、設置段階において設置業者により、配管長ごとに定めた制御装置上のスイッチ操作により室外機の制御装置が室内機・室外機間の配管総長を認識し、室内機・室外機間の配管総長に応じ規定した膨張弁開度の上限値及び下限値に段階的に変更し、その範囲内で膨張弁制御を行うことにより、圧縮機吸入ガスの過湿り・過熱を防止することができる。
【００３４】
（実施の形態６）
図７及び図８は膨張弁開度上下限概念図であり、それぞれ吐出ＳＨと膨張弁開度の上下限値の関係、吸入ＳＨと膨張弁開度の上下限値の関係を表したものである。
【００３５】
室外機制御装置１４は、吸入温度検出手段８が検知した吸入温度と室外側熱交換器温度検出手段９が検知した蒸発温度との差温から算出した吸入ＳＨ、及び吐出温度検出手段７が検知した吐出温度と吐出圧力検出手段１３が検知した吐出圧力から算出した凝縮温度との差温から算出した吐出ＳＨを認識できる。
【００３６】
基準となる吐出ＳＨ範囲（１０（Ｋ）以上）、或いは吸入ＳＨ範囲（１０（Ｋ）以下）での運転中、室外膨張弁４は実機検証にて定めた基準膨張弁開度上下限値内で制御される。
【００３７】
基準となる吐出ＳＨ範囲に対し吐出ＳＨが低下し、１０（Ｋ）未満になった場合、膨張弁基準開度上下限値に対し、下限値を変更せず、上限値を変化幅ΔＰ（例えば１００ｐｌｓ）低くする。
【００３８】
同様に、基準となる吸入ＳＨ範囲に対し吸入ＳＨが上昇し、１０（Ｋ）を超えた場合、膨張弁基準開度上下限値に対し、上限値を変更せず、下限値を変化幅ΔＰ（例えば１００ｐｌｓ）高くする。
【００３９】
このように、室外機の制御装置により、吸入ＳＨ・吐出ＳＨを認識し、吸入ＳＨ・吐出
ＳＨが所定の範囲外となった場合に、膨張弁開度の上限値及び下限値を規定した値に段階的に変化し、その後変化後の範囲内で膨張弁制御を行うことにより、圧縮機吸入ガスの過湿り・過熱を防止することができる。
【００４０】
（実施の形態７）
表１は膨張弁開度上下限の一例であり、運転している室内機の形態と膨張弁開度の上下限値の関係を表したものである。
【００４１】
【表１】
2005147541.tif 000003
【００４２】
室外機制御装置１４と室内機制御装置１５ａ、１５ｂが通信線で接続され、室内機が運転開始となれば室内機制御装置１５ａ、１５ｂから室外機制御装置１４へ運転信号及び室内機形態信号を送信し、室外機制御装置１４は運転している室内機の形態を認識できる。
【００４３】
室内機の形態に応じ実機検証にて定めた膨張弁開度の上限値及び下限値に変更し、その範囲内で室外膨張弁４を制御することにより、圧縮機吸入ガスの過湿り・過熱を防止することができる。
【産業上の利用可能性】
【００４４】
本発明の膨張弁制御は、圧縮機吸入ガスの過湿り・過熱を防止することができるので、ビル空調用の空気調和機や冷凍機器全般にも適用できる。
【図面の簡単な説明】
【００４５】
【図１】本発明の実施形態を示す膨張弁制御方法の冷凍サイクル図
【図２】本発明の実施の形態１を示す膨張弁開度上下限概念図
【図３】本発明の実施の形態２を示す膨張弁開度上下限概念図
【図４】本発明の実施の形態３を示す膨張弁開度上下限概念図
【図５】本発明の実施の形態４を示す膨張弁開度上下限概念図
【図６】本発明の実施の形態５を示す膨張弁開度上下限概念図
【図７】本発明の実施の形態６を示す膨張弁開度上下限概念図
【図８】本発明の実施の形態６を示す膨張弁開度上下限概念図
【図９】従来の冷凍サイクル図
【符号の説明】
【００４６】
１  能力可変型圧縮機
２  室外側熱交換器
３  室外送風機
４  室外膨張弁
５  四方弁
６  外気温度検出手段
７  吐出温度検出手段
８  吸入温度検出手段
９  室外側熱交換器温度検出手段
１０  室内側熱交換器
１１  室内送風機
１２  室内膨張弁
１３  吐出圧力検出手段
１４  室外機制御装置
１５ａ  室内機制御装置
１５ｂ  室内機制御装置
【図１】
2005147541.tif 000004
【図２】
2005147541.tif 000005
【図３】
2005147541.tif 000006
【図４】
2005147541.tif 000007
【図５】
2005147541.tif 000008
【図６】
2005147541.tif 000009
【図７】
2005147541.tif 000010
【図８】
2005147541.tif 000011
【図９】
2005147541.tif 000012